【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
スキャナであって、原稿ハンドラのスキャン中の撮像高さとプラテンのスキャン中の撮像高さとの照明プロファイル差の原因を説明するように、少なくとも２重の較正ターゲットを有し、
較正ターゲットは、第１直線状白色線分および第２直線状黒色線分を含み、
前記スキャナは、上端面および下端面を画定する光透過性プラテンと、コントローラと、原稿ハンドラと、前記光透過性プラテンの上の原稿からおよび前記原稿ハンドラの中を通過するシートから画像データを記録するスキャナバーとを備え、
前記コントローラは、前記２重の較正ターゲットをスキャンし、前記較正ターゲットにおける前記第１直線状白色線分および前記第２直線状黒色線分から反射率値を処理することによって、原稿をスキャンする前に照明源の照明プロファイルを決定する、ことを特徴とする前記スキャナと、
前記２重の較正ターゲットをスキャンし、前記スキャナを自動的に較正する、前記コントローラ内のプロセッサであって、
前記プロセッサは、
前記２重の較正ターゲットの前記反射率値から較正値を決定し、
前記スキャナバーに前記較正値を提供して、選択されたスキャンプロセスに使用する、
ことを特徴とする前記プロセッサと、
を備える、装置。
【請求項２】
前記較正は、前記少なくとも２重の較正ターゲットに基づいて、一定の光レベルで、相異なる高さで実行される、請求項１に記載の装置。
【請求項３】
前記較正の間に得られた較正値は、前記スキャナのために較正値を記憶するように構成されたメモリに記憶される、請求項２に記載の装置。
【請求項４】
前記少なくとも２重の較正ターゲットは、前記光透過性プラテンの上の原稿の撮像高さまたは前記原稿ハンドラを通る原稿の撮像高さの差の原因を説明するように、２つの相異なる厚さで製造された単一の較正ターゲットである、請求項１に記載の装置。
【請求項５】
前記単一の較正ターゲットの前記２つの相異なる厚さのうちの１つの一部は、前記光透過性プラテンの前記上端面の外側に延在する、請求項４に記載の装置。
【請求項６】
前記２重の較正ターゲットは、前記スキャナバーが読み取ることができる場所に水平かつ垂直に互いに離れて置かれた、第１較正ターゲットおよび第２較正ターゲットである、請求項１に記載の装置。
【請求項７】
前記第１較正ターゲットは、前記光透過性プラテンの前記上端面に接触する第１較正面を画定する、請求項６に記載の装置。
【請求項８】
前記第２較正ターゲットは、前記原稿ハンドラを通る面に接触する第２較正面を画定する、請求項６に記載の装置。
【請求項９】
上端面および下端面を画定する光透過性プラテンと、
読み取りのためにスキャンウィンドウの上で処理方向にシートを移動させるための原稿ハンドラと、
照明源と、前記光透過性プラテンの上の原稿からの画像データまたは前記スキャンウィンドウを通過する画像担持シートを記録するための光センサアセンブリとを含む光学ヘッドと、
少なくとも２重の較正ターゲットを備えたスキャナを使用して、前記原稿ハンドラのスキャン中およびプラテンのスキャン中に異なる撮像高さで前記スキャナを自動的に較正することにより、指示を実行するための、メモリと通信するプロセッサを有するコントローラと、
を備え、
前記較正ターゲットは、第１直線状白色線分および第２直線状黒色線分を含み、
前記自動的に較正することは、
前記較正ターゲットにおける前記第１直線状白色線分および前記第２直線状黒色線分の反射率値から原稿をスキャンする前に、前記照明源の照明プロファイルを決定すること、
前記２重の較正ターゲットの前記反射率値から較正値を決定すること、
スキャナバーに前記較正値を提供して、選択されたスキャンプロセスに使用すること、
較正中に得られた較正値に基づいて出力画像を補正すること、
を備え、
前記出力画像は、前記２重の高さ較正ターゲットの反射率に基づいて調整される、
スキャナ。
【請求項１０】
前記２重の較正ターゲットは、前記光センサアセンブリが読み取ることができる場所に水平かつ垂直に互いに離れて置かれた、第１較正ターゲットおよび第２較正ターゲットであり、
前記第１較正ターゲットは、前記光透過性プラテンの前記上端面に接触する第１較正面を画定し、
前記第２較正ターゲットは、前記原稿ハンドラを通る面に接触する第２較正面を画定する、
請求項９に記載のスキャナ。
【請求項１１】
前記少なくとも２重の較正ターゲットは、前記光透過性プラテンの上の原稿の撮像高さまたは前記原稿ハンドラを通る原稿の撮像高さの差を説明するように、２つの相異なる高さで製造された単一の較正ターゲットである、請求項９に記載のスキャナ。
【請求項１２】
前記単一の較正ターゲットの前記２つの相異なる厚さのうちの１つの一部は、前記光透過性プラテンの前記上端面の外側に延在する、請求項１１に記載のスキャナ。
【請求項１３】
スキャナであって、原稿ハンドラのスキャン中の撮像高さとプラテンのスキャン中の撮像高さとの照明プロファイル差の原因を説明するように、少なくとも２重の較正ターゲットを有し、
較正ターゲットは、第１直線状白色線分および第２直線状黒色線分を含み、
前記スキャナは、上端面および下端面を画定する光透過性プラテンと、コントローラと、原稿ハンドラと、前記光透過性プラテンの上の原稿からおよび前記原稿ハンドラの中を通過するシートから画像データを記録するスキャナバーとを備え、
前記コントローラは、前記２重の較正ターゲットをスキャンし、前記較正ターゲットにおける前記第１直線状白色線分および前記第２直線状黒色線分から反射率値を処理することによって、原稿をスキャンする前に照明源の照明プロファイルを決定する、ことを特徴とする前記スキャナを使用すること、
前記コントローラを使用して前記２重の較正ターゲットからの前記反射率値を処理して較正値を決定すること、
選択されたスキャンプロセスの使用のために、前記スキャナバーに前記較正値を提供すること、
を備える、方法。
【請求項１４】
較正は、前記少なくとも２重の較正ターゲットに基づいて、一定の光レベルで、相異なる高さで実行される、請求項１３に記載の方法。
【請求項１５】
較正中に得られた較正値は、前記スキャナのために較正値を記憶するように構成されたメモリに記憶される、請求項１３に記載の方法。
【請求項１６】
前記２重の較正ターゲットは、前記スキャナバーが読み取ることができる場所に水平かつ垂直に互いに離れて置かれた、第１較正ターゲットおよび第２較正ターゲットである、請求項１３に記載の方法。
【請求項１７】
前記第１較正ターゲットは、前記光透過性プラテンの前記上端面に接触する第１較正面を画定する、請求項１６に記載の方法。
【請求項１８】
前記第２較正ターゲットは、前記原稿ハンドラを通る面に接触する第２較正面を画定する、請求項１６に記載の方法。
【請求項１９】
前記少なくとも２重の較正ターゲットは、前記光透過性プラテンの上の原稿の撮像高さまたは前記原稿ハンドラを通る原稿の撮像高さの差を説明するように、２つの相異なる高さで製造された単一の較正ターゲットである、請求項１３に記載の方法。
【請求項２０】
前記単一の較正ターゲットの前記２つの相異なる高さのうちの１つの一部は、前記光透過性プラテンの前記上端面の外側に延在する、請求項１９に記載の方法。